(57)【特許請求の範囲】
【請求項１】
先端に洗浄水噴出口を、当該洗浄水噴出口の上流に洗浄水連絡口を、及び前記洗浄水噴出口と前記洗浄水連絡口とを連絡する洗浄水流路をそれぞれ形成し、前記洗浄水連絡口に供給された洗浄水を前記洗浄水噴出口から吐水して人体の局部を洗浄するノズルと、洗浄水の給水圧により進退する前記ノズルを進退自在に支持するシリンダと、を有するノズル装置を備えた局部洗浄装置であって、
前記ノズルの進出時に前記シリンダから前記洗浄水が流入する洗浄水流入孔と、当該洗浄水流入孔に流入した洗浄水を前記ノズルの前記洗浄水連絡口へ供給する洗浄水流出孔とを有し、前記洗浄水流入孔と前記洗浄水流出孔との間で、前記洗浄水流出孔から前記洗浄水連絡口へ供給する洗浄水の流量を調整する流量調整弁を前記ノズル装置が備え、
前記流量調整弁は、
前記シリンダに一体化され、
前記洗浄水流入孔及び前記洗浄水流出孔を形成した外筒体と、
前記洗浄水流入孔及び前記洗浄水流出孔に夫々対応させて洗浄水流入溝及び流量調整溝を形成した筒状弁体と、を具備しており、
前記筒状弁体の回転軸を前記シリンダに平行に設けた
ことを特徴とする局部洗浄装置。
【発明の詳細な説明】
【技術分野】
【０００１】
本発明は、用便後の人体局部を洗浄する局部洗浄装置に関し、特に、水圧によりノズルを進出させ、その進出ノズルによりおしり洗浄若しくはビデ洗浄を行う局部洗浄装置に関する。
【背景技術】
【０００２】
洋式の便器に設置されるこの種の局部洗浄装置は、スイッチ操作によって洗浄ノズルを伸長させ、その噴出口から洗浄水を上方に向けて噴出させることにより、おしり洗浄若しくはビデ洗浄を行うよう構成されている。局部洗浄に用いられる洗浄水には、給水配管からの水を装置内に設けられた温水タンクで所定温度に加熱された適温湯、或は給水配管からの水と給湯配管からの湯とをミキシングバルブによって混合することにより温度調整された適温湯が用いられる。
洗浄ノズルは、ノズルの駆動方式によって大別すると、モータ等の駆動源によって進退されるもの（いわゆる電動式ノズル）と、駆動源を備えず洗浄水の水圧のみによって進退されるもの（いわゆる水圧式ノズル）との２種類がある。電動式ノズルは、一般家庭等に広く普及しており、現状では洗浄ノズルの主流をなしている。またこの電動式ノズルはモータ等を制御することで位置制御を行うことができるため、１本のノズルでおしり洗浄用ノズル及びビデ洗浄用ノズルを兼用することができる。この種の電動式ノズルでは流量調整弁とノズル装置とを接続するチューブの配管距離が必然的に長くなるという問題があった。また、チューブはノズル装置の駆動モータを駆動してノズルを往復移動させると、ノズルの動きに追従してケーシング内を後部から前部に、前部から後部へと揺動するのでチューブが揺動する範囲内では局部洗浄装置の他の部材を配置することが困難であった。したがって、例えば、制御装置の設置スペースを取るためにケーシングを大きくしたり、窮屈な状態で収納しなければならない等の問題があった。なお、チューブの揺動を抑制するために、チューブの途中をケーシングに固定することも考えられるが、この場合、前記チューブはノズル装置のノズルの往復移動に追従して移動する際に、前記固定部分が支点となって折れ曲がり、適温水の流路を狭めて局部洗浄に悪影響を与えたり、前記往復運動の繰り返しによりチューブの固定部分が老朽化して亀裂が入り、この亀裂から適温水が漏出してケーシング内に収納した制御装置等に悪影響を与えたりするという問題があった。
【０００３】
この種々の問題に鑑み、特開平８−３２６１２５号公報では、ノズル装置の下部空間に設けた取付凹部に流量調整弁を取付けることで、ケーシング内の空所を有効に利用した局部洗浄装置が開示されている。
一方、水圧式ノズルはモータ等の駆動源を必要としないため、電動式ノズルに比べて構造が簡単で安価に制作できるという利点を有している。しかし、水圧による位置制御を伴う場合には構造が複雑となるため、通常おしり洗浄用ノズルとビデ洗浄用ノズルとは別々に設けられている。そして、これらの流量調整は各々のノズルシリンダ後方に一体的に設けられる流路切換兼流量調整弁によって行われている。
【特許文献１】特開平８−３２６１２５号公報
【発明の開示】
【発明が解決しようとする課題】
【０００４】
しかし、水圧式ノズルでは水圧変動によりノズルが進出しなかったり、ノズルの進出スピードが変動するという不具合があった。また、お尻／ビデ用を有する水圧式ノズルでは２本分ノズル収容スペースが幅方向で必要であり、更に流路切換兼流量調整弁収容スペースが奥行き方向で必要であった。
一方、特開平８−３２６１２５号公報にて開示される技術においても、ノズルと流量調整弁との間に複数の接続チューブを必要とするので組立てが面倒であると共に、従来よりも幅方向に収納スペースを必要としていた。
本発明は上記した従来技術の問題点を解決するためになされたもので、その目的とするところは、低水圧でも確実にノズルを進出させることができると共に、流量変更などを行っても、まったくノズル進出に影響を受けない水圧式ノズルを有する局部洗浄装置を提供することである。
また、別の目的はノズル装置と流量調整弁或いは流路切換弁とを接続チューブ無に組立てることができ、且つ１本ノズルでおしり及びビデの洗浄を可能とし、組立てを簡単にでき且つ２本のノズルを夫々設けたものに比べノズル１本分の収納スペースを削減できる局部洗浄装置を提供することである。
【課題を解決するための手段】
【０００５】
上記目的を達成するために、請求項１の発明においては、先端に洗浄水噴出口を、当該洗浄水噴出口の上流に洗浄水連絡口を、及び前記洗浄水噴出口と前記洗浄水連絡口とを連絡する洗浄水流路をそれぞれ形成し、前記洗浄水連絡口に供給された洗浄水を前記洗浄水噴出口から吐水して人体の局部を洗浄するノズルと、洗浄水の給水圧により進退する前記ノズルを進退自在に支持するシリンダと、を有するノズル装置を備えた局部洗浄装置であって、前記ノズルの進出時に前記シリンダから前記洗浄水が流入する洗浄水流入孔と、当該洗浄水流入孔に流入した洗浄水を前記ノズルの前記洗浄水連絡口へ供給する洗浄水流出孔とを有し、前記洗浄水流入孔と前記洗浄水流出孔との間で、前記洗浄水流出孔から前記洗浄水連絡口へ供給する洗浄水の流量を調整する流量調整弁を前記ノズル装置が備えるよう構成したので、ノズルが進出した場合のみ流量調整弁に水圧がかかるので、流量調整弁には耐圧構造が不要となり、コストダウンを図ることが可能となる。
【０００８】
また、前記流量調整弁をシリンダに一体化したので接続チューブが不要となり、装置使用後、接続チューブに滞留する残水をなくすことができ、次回使用開始時の動作をスムーズに行うことができる。
【０００９】
また、前記流量調整弁を、前記洗浄水流入孔及び前記洗浄水流出孔を形成した外筒体と、前記洗浄水流入孔及び前記洗浄水流出孔に夫々対応させて洗浄水流入溝及び流量調整溝を形成した筒状弁体とで構成し、前記筒状弁体の回転軸を前記シリンダに平行に設けたので、流量調整弁をコンパクトに形成することができ、また装置内への収納空間のデッドスペースを有効に利用することが可能となる。
【００１２】
また、何れの発明でもノズル伸長後に洗浄水をノズルに供給する機構であるため確実に尻なで現象を防止する事が可能となる。
【発明の効果】
【００１３】
本発明によれば、ノズルが進出した場合のみ流量調整弁に水圧がかかるので、流量調整弁には耐圧構造が不要となり、コストダウンを図ることができる。
【発明を実施するための最良の形態】
【００１４】
以下、本発明を図面を用いて詳細に説明する。
図１は本発明の水路構成を示すブロック図、図２は本発明のノズル装置５０の外観斜視図、図３は操作用シリンダ５１の分解斜視図、図４は洗浄ノズル５３の分解斜視図、図５は洗浄ノズルの収納時断面図である。
これらの図において、局部洗浄装置は、図に示すように、装置本体１０と、この装置本体１０の内部に配設された水圧式のノズル装置５０、ミキシングバルブ３０、減圧弁４１、電磁弁４２、４６、切換弁兼用流量調整弁７０、図示しない温度サーミスタ、逆止弁等を備え、洗浄時に洗浄ノズル５３を洗浄水Ｗの水圧によって伸張し便器内に突出させることにより、おしり洗浄、ビデ洗浄を行うように構成されている。
【００１５】
装置本体１０の内部中央には前記ノズル装置５０が配設され、このノズル装置５０より装置本体１０に設けられる袖部側（右側）に前記ミキシングバルブ３０、電磁弁４２、４６等が配設され、さらにその右側には給水配管３３及び給湯配管３４が配管されている。給水配管３３によって供給される水と給湯配管３４によって供給される温水（７０℃前後）は、ミキシングバルブ３０によって混合され、局部洗浄用供給管路（３１ｂ〜４４）またはノズル洗浄用供給流路（３１ａ〜４９ａ）によって前記ノズル装置５０に洗浄水（４０℃程度の温水）として導かれる。ノズル供給用供給流路（３１ａ〜４９ａ）終端はノズル装置５０のノズル洗浄室（後述）に接続されている。前記電磁弁４２，４６は、局部洗浄用供給流路（３１ｂ〜４４）とノズル洗浄用供給流路（３１ａ〜４９ａ）に夫々設けられている。また、切換弁兼流量調整弁７０を機械的に駆動すると共に電気的に電磁弁４２、４６を駆動する操作部２０、操作部２０からの操作信号を受け電磁弁４２，４６へ駆動信号を出力する制御装置８５、制御装置８５へ電力を供給する乾電池８０を内部に備える。
【００１６】
ノズル装置５０は、操作用シリンダ５１と、この操作用シリンダ５１内に進退自在に嵌挿され、洗浄水の水圧によって作動されるピストン５２と、おしり洗浄時におしり位置に移動し、ビデ洗浄時にはビデ洗浄位置に移動する洗浄ノズル５３、洗浄ノズル５３を元の位置に復帰するための復帰ばね５４を備え、局部洗浄用供給流路（３１ｂ〜４４）、ノズル洗浄用供給流路（３１ａ〜４９ａ）及び切換弁兼流量調整弁７０に接続されている。
【００１７】
操作用シリンダ５１は、前後端が開口した内径が異なる樹脂製の異径管からなり、前半部が小径の前方シリンダ５１Ａを構成し、後半部が大径部の後方シリンダ５１Ｂを構成している。このため、操作シリンダ５１の内周面前方シリンダ５１Ａと後方シリンダ５１Ｂの接続部には、前記ピストン５２の前進動を規制する段部５１ｃが設けられている。また、前方シリンダ５１Ａの中間部には更に小径部５１ｄが形成されており、この小径部５１ｄの後端面が前記洗浄ノズル５３の前進動を制限する係止部として機能し、前端側にばね受部５１ｅが一体に設けられている。このばね受部５１ｅは、前記復帰用ばね５４の前端を受け止めると共に、前記洗浄ノズル５３を摺動自在に支持し案内するもので、内径が前記小径部５１ｄより小さく、前記洗浄ノズル５３の外径より大きいリング状に形成されている。
操作用シリンダ５１の上流側端部にあたる後端側開口部には洗浄水供給口５５ａ（第１流入口）を形成し、前記局部洗浄用供給流路（３１ｂ〜４４）が接続される。
【００１８】
また、洗浄水供給口５５ａの下流側において、後方シリンダ５１Ｂの左側面に洗浄水流出口５１ｈ（第１流出口）、前方シリンダ５１Ａの小径部５１ｄより後方左側面にビデ進出用流入口５１ｉ（第２流入口）及びビデ洗浄水流出口５１ｊ（第２流出口）、前方シリンダ５１Ａの小径部５１ｄの終端左側面には洗浄水流入口５１ｋ（第３流入口）が設けられる。なお、洗浄水流入口５１ｋ内にダイヤフラム６１を設け、水圧がかかっている時のみ洗浄ノズル５３と水密状態で接するようにしている。即ち、ダイヤフラム６１に圧がかかるよりも前にノズル５３の進出が完了しているので、ノズル進出時にこのダイヤフラム６１部分が抵抗となることが無く、洗浄水供給時には効果がある。
【００１９】
さらに前記操作用シリンダ５１の前端右側面には、ノズル洗浄用給水口５１ｌ（第４流入口）が形成される。そして、前記操作用シリンダ５１の前端側で前記ノズル洗浄用給水口５１ｌが形成されている内部は、ノズル洗浄室５１ｍを形成している。
【００２０】
ピストン５２は合成樹脂製で、円板上の受圧板５２Ａと、この受圧板５２Ａの受圧面（背面）側に一体に突設された円筒部５２Ｂとを備え、受圧板５２Ａの中央前面には洗浄ノズル５３のピン５３ｑと当接する当接凹部５２ｃが設けられる。この当接凹部５２ｃは略円錐状に形成する。これにより、ピン５３ｑが円錐壁面に沿ってばね５４により押圧されることで確実に。洗浄ノズル５３をピストン５２の略中心に位置させて移動することができる。
【００２１】
洗浄ノズル５３は、剛性樹脂によって前記ばね受部５１ｅの内径よりわずかに小さい外径を有する細長い筒状に形成され、内部におしり洗浄用通路５３ｆ２とビデ洗浄用通路５３ｇ２が形成されている。おしり洗浄用通路５３ｆ２の前方開口部は、ノズル５３の前端側上面に開口することによりおしり噴出口５３ｈを形成している。ビデ洗浄用通路５３ｇ２の前方開口部は、ノズル５３の前端側上面に開口することによりビデ噴出口５３ｊを形成している。なお、ノズル５３左側面にはピストン５２が最大ストローク前進してノズル５３をお尻洗浄位置に停止した時前記洗浄水流入口５１ｋと一致し連通する位置に形成されるお尻洗浄水連絡口５３ｋと、ノズル５３が最大ストローク前進してノズル５３をビデ洗浄位置に停止した時前記洗浄水流入口５１ｋと一致し連通する位置に形成されるビデ洗浄水連絡口５３ｌとを有する。また、前記ノズル５３の外周面には、互いに平行な２つの平坦部５３ｍが形成されており、この平坦部５３ｍと前記ばね受部５１ｅとの隙間が水抜き用の隙間を形成している。
【００２２】
前記ノズル５３の後端側外周面との後端面には、受圧板を形成するフランジ５３ｎとピン５３ｑが夫々一体に突設されている。フランジ５３ｎは、前記ノズル５３の後端面中央に一体に突設され、前記ピストン５２の当接凹部５２ｃに当接し、ピストン５２とノズル５３を離間させている。これは、ビデ洗浄時にビデ進出用流入口５１ｉから前方シリンダ５１Ａ内に流入する洗浄水をフランジ５３ｎの受圧面（背面）側に供給するためである。
【００２３】
前記ノズル５３を復帰方向に付勢する前記復帰用ばね５４は圧縮コイルばねからなり、前記ばね受部５１ｅとフランジ５３ｎとの間に弾装されている。
【００２４】
図６は本発明の切換弁兼流量調整弁７０の外観斜視図、図７は弁体７５の分解斜視図、図８は切換弁兼流量調整弁７０のお尻洗浄時の断面図、図９はお尻洗浄時の弁体７５に設けた各溝の相対位置関係を示す断面図である。
切換弁兼流量調整弁７０は、外筒体７１と弁体７５とで構成する。外筒体７１は中空の略円筒状に形成し、一端には弁体７５を挿入する挿入開口７２を設け、他端には弁体７５を回動自在に支持する軸受け部７３を設ける。また、外筒体７１の右側周面には、操作用シリンダ７１に設けた洗浄水流出口７１ｈ、ビデ進出用流入口７１ｉ、ビデ洗浄水流出口７１ｊ、洗浄水流入口７１ｋ（第３流入口部）を夫々挿入する洗浄水流入孔７１ａ、ビデ進出用流出孔７１ｂ、ビデ洗浄水流入孔７１ｃ、洗浄水流出孔７１ｄを設ける。また、左側周面には、バイパス用流出口７１ｅ及びバイパス用流入口７１ｆ、余剰水排出口７１ｇを設ける。なお、バイパス用流出口７１ｅとビデ進出用流出孔７１ｂと、バイパス用流入口７１ｆとビデ洗浄水流入孔７１ｃとは夫々同一平面上に形成する。なおバイパス流出口７１ｅとバイパス流入口７１ｆとは樹脂チューブ等（図示無）で接続する。
【００２５】
弁体７５は略円筒状で一端に操作軸７５ｉ、他端に回動軸７５ｊを形成し、隔壁７５ｈで前方室７５Ａ、後方室７５Ｂの２室に仕切り、後方室７５Ｂの側周壁には洗浄水流入孔７１ａ、ビデ進出用流出孔７１ｂに夫々対応する箇所に洗浄水流入溝７５ａ、ビデ進出用流出溝溝兼バイパス用流出溝７５ｂを形成する。また、前方室７５Ａの側周壁にはビデ洗浄水流入孔７１ｃ、余剰水排出口７１ｇ、洗浄水流出孔７１ｄに夫々対応する箇所にビデ洗浄水流入溝兼バイパス用流入溝７５ｃ、余剰水排出溝７５ｇ、流量調整溝７５ｄを形成する。なお、流量調整溝７５ｄは略三角形状として流路抵抗が変化するよう形成する。また、余剰水排出溝７５ｇ及び流量調整溝７５ｄはおしり用、ビデ用と全周を２分割して設ける。（図９参照）更に、一端側外周にＹパッキン装着溝７５ｋを形成し、弁体７５を開口７２から外筒体７１内に挿入する際、Ｙパッキン（図示無）を嵌め込むことにより、挿入開口７２と弁体７５とのシールを行う。
【００２６】
図１０には操作部２０の外観図を示す。操作部２０には洗浄開始スイッチ操作部２１、洗浄停止スイッチ操作部２２及び流路切換兼流量調整摘み２５とが設けられ、各々のスイッチ操作部に対応する洗浄開始スイッチ２１ａ及び洗浄停止スイッチ２２ａは制御装置８５に電気的に接続し、流路切換兼流量調整摘み２５はワイヤー等によって機械的に操作軸７５ｉに接続されている。なお、この流路切換兼流量調整摘み２５はおしりとビデの最大流量位置との間にストッパ（図示無）を設け、おしり最大流量から突然ビデ最大流量に変更されることを防止している。
【００２７】
次に、このような構造からなる洗浄ノズル５３による洗浄動作について説明する。
既に図５に非洗浄時の状態を示したが、この状態において、ノズル５３は復帰用ばね５４によって初期位置に保持されることによりピストン５２を後方シリンダ５１Ｂ内面に押し付けている。この時、電磁弁４２，４６は閉じている。
おしり洗浄の様子を図８（ａ）、図１１を参照して説明する。
使用者が用便後に洗浄装置本体１０の袖部に設けられる流路切換兼流量調整摘み２５がおしり位置にある状態（図１０の位置）で、洗浄開始スイッチ操作部２１を操作すると、制御装置８５の指令により電磁弁４２が開く、電磁弁４２が開くと、洗浄水は局部洗浄用供給流路（３１ｂ〜４４）から洗浄水供給口５５ａを介して後方シリンダ５１Ｂ内に供給され、その水圧でピストン５２を押圧する。したがって、ピストン５２とノズル５３は復帰用ばね５４に抗して一体的に前進し、ノズル５３の前端部が操作用シリンダ５１の前端側開口部５１ｐから突出する。ピストン５２は最大ストローク前進すると、段部５１ｃに当接して停止する。ピストン５２が前進して停止すると、後方シリンダ５１Ｂ内に流入した洗浄水は洗浄水流出口５１ｈ〜洗浄水流入孔７１ａ（洗浄水流入溝７５ａ）〜バイパス用流出口７１ｅ（ビデ進出用流出溝溝兼バイパス用流出溝７５ｂ）〜バイパス用流入口７１ｆ（ビデ洗浄水流入溝兼バイパス用流入溝７５ｃ）〜流量調整溝７５ｄ〜洗浄水流出孔７１ｄ〜洗浄水流入口５１ｋ〜ダイヤフラム６１を通ってお尻洗浄水連絡口５３ｋに供給される。この停止位置がおしり洗浄位置であり、前記お尻洗浄水連絡口５３ｋよりおしり洗浄用通路５３ｆ２に供給される洗浄水をそのおしり噴出口５３ｈから上方に向けて噴出しおしり洗浄を所望の時間行う。
【００２８】
おしり洗浄後、洗浄停止スイッチ操作部２２を操作すると、制御装置８５からの指令により電磁弁４２が閉じ、電磁弁４２が開く。電磁弁４２が閉じると、洗浄ノズル５３への洗浄水の供給が停止するため、洗浄水の水圧が低下する。従って、ノズル５３は復帰用ばね５４の弾撥力によって徐々に後退して図５に示す初期位置に復帰し、ピストン５２を後部シリンダ５１Ｂの内面に押し付ける。この時、操作用シリンダ５１内に残った洗浄水は、ノズル５３との隙間を通って操作用シリンダ５１の前端側開口部５１ｐから便器内に排出される。
一方、電磁弁４６が開くと、洗浄水はノズル洗浄用供給流路（３１ａ〜４９ａ）を通ってノズル洗浄室５１ｍに供給されることにより、ノズル５３の外周を洗浄する。そして、ノズル洗浄を所望の時間行うと、制御装置８５からの指令により電磁弁４６は閉じる。
【００２９】
次に、ビデ洗浄の様子を図８（ｂ）、図１２を参照して説明する。
使用者が流路切換兼流量調整摘み２５をビデ位置にした状態で、洗浄開始スイッチ操作部２１を操作すると、制御装置８５の指令により電磁弁４２が開く。電磁弁４２が開くと、局部洗浄用供給流路（３１ｂ〜４４）から供給される洗浄水は流入口５５ａを通って後方シリンダ５１Ｂ内に流入し、その水圧でピストン５２とノズル５３を復帰用ばね５４に抗して前進させる。このため、ノズル５３は操作用シリンダ５１の前方側開口部５１ｐから突出する。ピストン５２は最大ストローク前進すると段部５１ｃに当接して停止する。ピストン５２が停止すると、ノズル５３はピストン５２によっては移動されなくなるが、後方シリンダ５１Ｂ内に供給された洗浄水が洗浄水流出口５１ｈ〜洗浄水流入孔７１ａ（洗浄水流入溝７５ａ）〜ビデ進出用流出孔７１ｂ（ビデ進出用流出溝溝兼バイパス用流出溝７５ｂ）〜ビデ進出用流入口５１ｉを通って、前方シリンダ５１Ａ内に導かれその水圧でフランジ５３ｎを押圧するため図１２に示すようにさらに伸張してビデ洗浄位置に移動し、この位置で係止部５１ｅに当接することにより停止する。このノズル５３の移動により、ビデ洗浄水流出口５１ｊ〜ビデ洗浄水流入孔７１ｃ（ビデ洗浄水流入溝兼バイパス用流入溝７５ｃ）〜流量調整溝７５ｄ〜洗浄水流出孔７１ｄ〜洗浄水流入口５１ｋ〜ダイヤフラム６１を通ってビデ洗浄用通路５３ｇ２の後方側開口部５３ｆが合致して、先端に設けた噴出口５３ｊから上方に向かって噴出されビデ洗浄を所望の時間行う。洗浄停止スイッチ操作部２２を操作すると、制御装置８５からの指令により電磁弁４２が閉じ、電磁弁４６が開く。電磁弁４２が閉じると、洗浄ノズル５３への洗浄水の供給が停止するため、洗浄水の水圧が低下する。従って、ノズル５３は復帰用ばね５４の弾撥力によって徐々に後退して図５に示す初期位置に復帰し、ピストン５２を後部シリンダ５１Ｂの内面に押し付ける。この時、操作用シリンダ５１内に残った洗浄水は、ノズル５３との隙間を通って操作用シリンダ５１の前端側開口部５１ｐから便器内に排出される。
【００３０】
一方、電磁弁４６が開くと、洗浄水はノズル洗浄用供給流路（３１ａ〜４９ａ）を通ってノズル洗浄室５１ｍに供給されることにより、ノズル５３の外周を洗浄する。そして、ノズル洗浄を所望の時間行うと、制御装置８５からの指令により電磁弁４は閉じる。
【００３１】
次に、より簡単に本発明を理解できるよう、第１実施例よりも原理的な実施例である第２の実施例を図１３に示す。図１３はノズル装置５０の側断面図である。なお、以降説明する実施例において、前述した実施例と同一の構造には同一の符号を付ける。
図において、ノズル装置５０は操作用シリンダ５１、洗浄ノズル５３、復帰用ばね５４から構成される。操作用シリンダ５１は前後端が開口した内径が異なる樹脂製の異径管からなり、前半部が小径の前方シリンダ５１Ａを構成し、後半部が大径部の後方シリンダ５１Ｂを構成している。
このため、操作シリンダ５１の内周面前方シリンダ５１Ａと後方シリンダ５１Ｂの接続部には、前記ピストン５２の前進動を規制する段部５１ｃが設けられる。また、後端には洗浄水流入口５５aが設けられ、後方シリンダ５１Ｂの前方側壁面には洗浄水流出口５１ｈが設けられる。前方シリンダ５１Ａの略中間部側壁面にはばね受け５１ｅを設け、それよりも先端側に洗浄水供給室（ノズル洗浄室５１ｍ）を形成し、該洗浄水供給室（ノズル洗浄室５１ｍ）内に洗浄水を供給するための洗浄水供給口５１ｋを設ける。なお、洗浄水供給室(ノズル洗浄室５１ｍ）内に突出するようキャップ状のダイヤフラム６１を配置する。このダイヤフラム６１には供給口５１ｋよりも小径な小穴６１aが設けられる。
洗浄ノズル５３には、洗浄水供給口５３ｋ（５３ｌ）を側周面に、噴出口５３ｈ（５３ｊ）をノズル先端に設け、この噴出口５３ｈ（５３ｊ）と洗浄水供給口５３ｋ（５３ｌ）とを連絡する洗浄水流路５３ｆ（５３ｇ）を設ける。
【００３２】
次に第２実施例の動作を説明する。洗浄水供給用電磁弁（図示無）を開放し、洗浄水供給口５５aからシリンダ５１内に洗浄水を供給すると洗浄ノズル後端に形成した受圧面５３Ａが水圧を受け、ノズル５３が前方に進出する。ノズル５３の５３Ａが段部５１ｃに当接すると同時に洗浄水流出口５１ｈが開放し、洗浄水が流量調整弁７０Ａを介して洗浄水供給口５１ｋに供給される。この時、ダイヤフラム６１は水圧を受け、ノズル５３に押し付けられる。従って、洗浄水供給口５１ｋに供給された水は小穴６１aを通ってノズル５３に設けた洗浄水供給口５３ｋ（５３ｌ）内に供給され、噴出口５３ｈ（５３ｊ）から局部に向けて洗浄水が供給される。
【００３３】
なお、本実施例は図１４に説明する機構を組み合わせることでビデ洗浄を行うことが可能である。図１４を用いて第２実施例の変形例を説明する。なお、ノズルの進出機構は図１３に示すものと同様なので本変形例では説明しない。（図は簡略化する。）
シリンダ５１の前傾角度を調整する調整手段として、垂直シリンダ９６と、該垂直シリンダ９６内に水を供給する供給用電磁弁（図示無）と、垂直シリンダ９６内を上下に移動可能な角度変更用ピストン９７とで構成する。シリンダ５１の前側下部にはヒンジ機構５１ｙにより回動自在に装置１に支持される。シリンダ後側下部には長孔５１ｘを有する連結部を形成し、この長孔５１ｘを前記角度変更用ピストン９７の先端に設けた擺動軸に擺動自在に連結する。
【００３４】
この構成により、ビデ洗浄時には、垂直シリンダ９６に供給用電磁弁により水を供給することでピストン９７を上方に押し上げシリンダ５１を起立姿勢（図１４（ｂ）の位置）とすることができる。
なお、ビデ洗浄も流量調整も不要な場合には、図１５に示す変形が可能である。（第３の実施例）本実施例はシリンダ５１内部前方下部に傾斜面５１ｙを形成し、ノズル５３後方側面に排出孔５３ｔを設け、この排出孔５３ｔを開閉する開閉弁５３ｖを設けたものである。従って、ノズル５３が進出しきらない状態では排出孔５３ｔからも洗浄水が排出されるため、噴出口５３ｈ（５３ｊ）からの放出は微量しか行われない。即ちお尻まで届かない。ノズル５３が進出する直前から傾斜面５１ｙにより排出孔５３ｔが弁５３ｖにより閉じられ、洗浄水はすべて噴出口５３ｈ（５３ｊ）から放出されるので、お尻に届くようになる。このようにして、ノズル５３が進出しながら噴出口５３ｈ（５３ｊ）から洗浄水が放出され、背中等を濡らすと言ういわゆる尻なで現象を防ぐことが可能となる。
【００３５】
次に第４の実施例を図１６〜図４１を用いて説明する。
図１６は本発明の局部洗浄装置１の外観斜視図である。図において、局部洗浄装置１は、内部にノズル装置等の機器を収納する装置本体１０、便座１１、便蓋１２からなり、装置本体１０には給水導管１３、給湯導管１４が接続される。また装置本体１０側方には前方に張り出す操作部２０を設ける。
【００３６】
図１７は内部機器の収納状態を示すために装置本体１０の上ケース１０ａを取り除いた状態での斜視図、図１８は図１７から操作部及びコントローラを取り外した状態での斜視図、図１９は図１７からケースプレートを消去した状態での底側から見た斜視図、図２０は図１９とは別角度から見たケースプレートを消去した状態での部分斜視図、図２１は図１８からミキシングユニット及びバルブユニットを取り外した状態での斜視図である。
図において、下ケース１０ｂには、使用者により操作され洗浄水の供給停止を指示するための洗浄開始スイッチ２１ａ及び洗浄停止スイッチ２２ａを備えた操作スイッチ基板２３、使用者により操作されおしり／ビデの選択及び洗浄水の流量を調整する流路切換兼流量調整摘み２５、給水導管１３及び給湯導管１４から供給される水と湯を混合し適温にするミキシングバルブユニット３０、ノズル装置へ洗浄水を供給するための洗浄水供給用バルブユニット４０、ミキシングバルブユニット３０により混合される混合湯温を安定させるための捨湯用バルブユニット４５、使用者へ洗浄水を供給するノズル装置５０、使用者への洗浄水量を調整する流量調整弁７０、局部洗浄装置１の電源である乾電池８０、局部洗浄装置１を制御するコントローラ８５、便座への使用者の体重でオンする着座スイッチ９０を直接若しくは間接的に固定する。なお着座スイッチ９０の機構は特開平１１−１５５７６８号公報に詳述しているものを用いることができるので、ここでの説明は省略する。
【００３７】
ミキシングバルブユニット３０は、下ケース１０ｂに取付けられる外郭を形成するミキシングバルブ本体３１と、本体３１内に縦方向に収納される弁機能部３２とで構成する。なお、弁機能部３２はカートリッジ式なので、ゴミ噛みや作動不良等の故障時には弁機能部３２を本体３１から取り出してメンテすれば良い。本体３１には水導入口３１ａ、湯導入口３１ｂを形成し、夫々水用取付エルボ３３、湯用取付エルボ３４に袋ナットで連結する。また、水用取付エルボ３３、湯用取付エルボ３４の他端は、夫々給水導管１３及び給湯導管１４に接続する。本体３１には弁機能部３２により混合された湯を出湯する供給用出湯口３１ｃ、捨湯用出湯口３１ｄを形成し、夫々の出湯口内に洗浄水供給用バルブユニット４０及び捨湯用バルブユニット４５の一端を夫々嵌挿連結する。
【００３８】
洗浄水供給用バルブユニット４０は、所定圧以上の供給圧の際に動作して減圧し電磁弁４２の動作を確実にするための減圧弁４１、ノズル装置５０への洗浄水供給を制御する洗浄用電磁弁４２、洗浄水供給停止時に配管内を空気に置換し逆流を防止するための供給用バキュームブレーカー４３にて構成する。なお、ノズル装置５０の洗浄水供給口５５ａよりも高い位置にバキュームブレーカー４３を配置するため、電磁弁４２の２次側とバキュームブレーカー４３とを連絡する連絡管４０ａを長く形成する。このように洗浄水供給口５５ａよりも高い位置にバキュームブレーカー４３を配置することでノズル装置５０内へ早急且つ確実に空気を導入することができ、洗浄ノズル５３の復帰動作を速やかに行うことが可能となる。なお、バキュームブレーカー４３の空気取入口４３ａはチューブ４３ｂにより下ケース１０ｂに形成される排出用トイ１０ｃに連絡され、バキュームブレーカー４３よりオーバーフローする水を便器内へ排出する。
【００３９】
捨湯用バルブユニット４５は、便器へ直接排出するための湯を制御する捨湯用電磁弁４６、捨湯停止時に配管内を空気に置換し逆流を防止する捨湯用バキュームブレーカー４７、捨湯をノズル装置５０側へ供給する供給口４８ａと便器内へ直接排出する排出口４８ｂとに分岐する分岐管４８にて構成する。なお、バキュームブレーカー４７の空気取入口４７ａはチューブ４７ｂにより下ケース１０ｂに形成される排出孔１０ｄに連絡され、バキュームブレーカー４７よりオーバーフローする水を便器内へ排出する。またバキュームブレーカー４７と分岐管４８とをチューブ４７ｃとで連結し、供給口４８ａとノズル装置５０とをチューブ４９ａ、排出口４８ｂと下ケースに固定される排出エルボ１０ｅとをチューブ４９ｂにて連結する。
【００４０】
図２２は本発明のノズル装置５０の外観斜視図、図２３はノズル装置５０の分解斜視図、図２４は操作用シリンダ５１の斜視図、図２５は操作用シリンダ５１の断面図、図２６は操作用シリンダ５１の側面図、図２７はピストン５２の斜視図、図２８は洗浄ノズル５３の分解斜視図、図２９はノズル本体５３ａの斜視図である。
ノズル装置５０は、操作用シリンダ５１と、この操作用シリンダ５１内に進退自在に嵌挿され、洗浄水の水圧によって作動されるピストン５２と、おしり洗浄時におしり位置に移動し、ビデ洗浄時にはビデ洗浄位置に移動する洗浄ノズル５３、洗浄ノズル５３を元の位置に復帰するための復帰ばね５４、操作用シリンダ５１後端に取付けられシリンダを形成するシリンダ閉塞用蓋５５を備え、前記バキュームブレーカー４３、分岐管４８及び切換弁兼流量調整弁７０に接続されている。
なお、この切換弁兼流量調整弁７０の内部には、回転することで流路の切換えと流量調整を行う筒状の弁体７５を、その回転軸が操作用シリンダ５１に対して平行となる方向に設けて、切換弁兼流量調整弁７０をコンパクトに形成している。その詳細構造については、図３３〜図３５に基づき後述する。
【００４１】
前記操作用シリンダ５１は、前後端が開口した内径が異なる樹脂製の異径管からなり、前半部が小径の前方シリンダ５１Ａを構成し、後半部が大径部の後方シリンダ５１Ｂを構成している。このため、操作シリンダ５１の内周面前方シリンダ５１Ａと後方シリンダ５１Ｂの接続部には、前記ピストン５２の前進動を規制する段部５１ｃが設けられている。また、前方シリンダ５１Ａの中間部には更に小径部５１ｄが形成されており、この小径部５１ｄの後端面が前記洗浄ノズル５３の前進動を制限する係止部として機能し、前端側にばね受部５１ｅが一体に設けられている。このばね受部５１ｅは、前記復帰用ばね５４の前端を受け止めると共に、前記洗浄ノズル５３を摺動自在に支持し案内するもので、内径が前記小径部５１ｄより小さく、前記洗浄ノズル５３の外径より大きい突起５１ｆ、５１ｇを左右対称に形成する。突起５１ｆは洗浄ノズル５３の側面を、突起５１ｇは洗浄ノズル５３の上下面を支えるために設けており、接触面積を減らし摺動抵抗を小さくすることで洗浄ノズル５３伸出に必要な力を小さくすることができる。
【００４２】
シリンダ閉塞用蓋５５の上方には洗浄水供給口５５ａを形成し、前記洗浄水供給用チューブ４４が接続される。
【００４３】
また、後方シリンダ５１Ｂの左側面に洗浄水流出口５１ｈ、前方シリンダ５１Ａの小径部５１ｄより後方左側面にビデ進出用流入口５１ｉ及びビデ洗浄水流出口５１ｊ、前方シリンダ５１Ａの小径部５１ｄより前方のノズル洗浄室５１ｍ左側面には洗浄水流入口５１ｋが設けられる。なお、洗浄水流入口５１ｋ内にシールパッキン６０のダイヤフラム６１を突出させ、水圧がかかっている時のみ洗浄ノズル５３と水密状態で接するようにしている。即ち、ダイヤフラム６１に圧がかかるよりも前にノズル５３の進出が完了しているので、洗浄ノズル５３進出時にこのダイヤフラム６１部分が抵抗となることが無く、洗浄水供給時には効果がある。
【００４４】
さらに前記操作用シリンダ５１のノズル洗浄室５１ｍ上面には、ノズル洗浄導管５６を嵌挿するための嵌挿部５１ｌを形成する。また、操作用シリンダ５１の外周面左側方には、前記洗浄水流出口５１ｈ、ビデ進出用流入口５１ｉ、ビデ洗浄水流出口５１ｊ、洗浄水流入口５１ｋを取り囲むようにパッキン収納壁５１ｎを形成する。収納壁５１ｎで囲まれた側壁内は平面形状に形成し、洗浄水流出口５１ｈ及びビデ進出用流入口５１ｉを形成する外側壁面は同一平面５１ｐとし、ビデ洗浄水流出口５１ｊ及び洗浄水流入口５１ｋを形成する外側壁面は前記平面５１ｐよりも低い同一平面５１ｑとする。平面５１ｑのビデ洗浄水流出口５１ｊと洗浄水流入口５１ｋとの間には連通路５１ｒを形成する。また、連通路５１ｒ内にはパッキン変形防止用突起５１ｓを設ける。パッキン収納壁５１ｎ内を平面状としたのはシールパッキン６０の形状を簡単にすると共にシールパッキン６０を挟み込む面圧を略等しくしてシール性を向上させるためであり、平面５１ｐと平面５１ｑとで段差を設けたのは前方シリンダ５１Ａと後方シリンダ５１Ｂの径差のために生じるシリンダ肉厚を略等しくするためである。操作用シリンダ５１の下部には下方延出部５１ｔを形成し、延出部５１ｔにはノズル装置取付板５７との連結孔５１ｕ、５１ｖを設ける。
【００４５】
ピストン５２は合成樹脂製で、円板上の受圧板５２Ａと、この受圧板５２Ａの受圧面（背面）側に一体に突設された６枚の羽５２ｄにより構成する円筒部５２Ｂとを備え、受圧板５２Ａの中央前面には洗浄ノズル５３の後端部と当接する当接凹部５２ｃが略円錐状に設けられる。円筒部５２Ｂはピストン５２が後方シリンダ５１Ｂ内を安定動作するために設けられる。
【００４６】
洗浄ノズル５３は、剛性樹脂によって前記ばね受部５１ｅの内径よりわずかに小さい外径を有する細長い筒状に形成され、筒状のノズル本体５３ａ、ノズル本体５３ａの後端開口に圧入し開口を閉塞する後端閉塞体５３ｂ、ノズル本体５３ａとノズルヘッド５３ｃとを連結するための連結体５３ｄ、ノズルヘッド５３ｃに取付けられるビデ噴出口形成体５３ｅにて構成する。
洗浄ノズル５３は内部におしり洗浄用通路５３ｆとビデ洗浄用通路５３ｇが形成されている。（ノズル本体５３ａの通路５３ｆ１、連結体５３ｄの５３ｆ２、ノズルヘッド５３ｃのおしり用通路（図示無）で５３ｆ、ノズル本体５３ａの通路５３ｇ１、連結体５３ｄの５３ｇ２、ノズルヘッド５３ｃのビデ用通路（図示無）で５３ｇを形成）おしり洗浄用通路５３ｆの前方開口部は、ノズル５３の前端側上面に開口することによりおしり噴出口５３ｈを形成している。ビデ洗浄用通路５３ｇの前方開口部には、ビデ噴出口５３ｊを形成したビデ噴出口形成体５３ｅを取付け、ビデ噴出口５３ｊを形成する。なお、ノズル５３左側面にはピストン５２が最大ストローク前進してノズル５３をお尻洗浄位置に停止した時前記洗浄水流入口５１ｋと一致し連通する位置に形成されるお尻洗浄水連絡口５３ｋと、ノズル５３が最大ストローク前進してノズル５３をビデ洗浄位置に停止した時前記洗浄水流入口５１ｋと一致し連通する位置に形成されるビデ洗浄水連絡口５３ｌとを有する。また、前記ノズル５３の外周面には、互いに平行な２つの平坦部５３ｍが形成されており、この平坦部５３ｍと前記ばね受部５１ｅとの隙間（突起５１ｆ、５１ｇ間の隙間）が水抜き用の隙間を形成する。
【００４７】
前記後端閉塞体５３ｂには、受圧板を形成するフランジ５３ｎとピン５３ｐが夫々一体に突設されている。フランジ５３ｎは、前記ノズル５３の後端面中央に一体に突設され、前記ピストン５２の当接凹部５２ｃに当接し、ピストン５２とノズル５３を離間させている。これは、ビデ洗浄時にビデ進出用流入口５１ｉから前方シリンダ５１Ａ内に流入する洗浄水の圧力をフランジ５３ｎの受圧面（背面）側に供給するためである。
【００４８】
前記ノズル５３を復帰方向に付勢する前記復帰用ばね５４は圧縮コイルばねからなり、前記ばね受部５１ｅとフランジ５３ｎとの間に弾装されている。
【００４９】
図３０は本発明のシールパッキン６０の（ａ）平面図、（ｂ）側面図、（ｃ）底面図、（ｄ）は（ａ）の中央横断面図であり、図３１はシールパッキン６０の斜視図である。シールパッキン６０はパッキン収納壁５１ｎで囲まれる形状と略同一形状に形成し、ダイヤフラム６１、方向転換用開口６２、流量調整出口６３、ビデ洗浄水流出口６４、ビデ進出用流入口６５、洗浄水流出口６６を形成する。ダイヤフラム６１は断面略コ字状に突出形成し、先端には洗浄水流入口６１ａを、流入口６１ａと同心円状に環状シール部６１ｂを、更にその外周に弾性変形部６１ｃを、その背側に圧力室６１ｄを設ける。圧力室６１ｄと方向転換用開口６２とを連絡する連絡流路６２ａを、方向転換用開口６２と流量調整出口６３とを連絡する連絡流路６２ｂとを表裏に形成する。出口６３周囲にはリップ６３ａを、ビデ洗浄水流出口６４にはリップ６４ａを、ビデ進出用流入口６５にはリップ６５ａを夫々形成する。また、ビデ洗浄水流出口６４とビデ進出用流入口６５の間にはバイパス路６７を設ける。なお、各開口周囲にはシール部６０ａ、６０ｂ、６０ｃ、６０ｅを設け、ノズル装置５０若しくは切換弁兼流量調整弁７０の側壁面とで挟圧し各開口間及びシールパッキン６０周囲を水密に維持する。
【００５０】
図３２は本発明の切換弁兼流量調整弁７０の外観斜視図、図３３は切換弁兼流量調整弁７０の分解斜視図、図３４は切換弁兼流量調整弁７０の概略断面図、図３５は（ａ）切換弁兼流量調整弁７０の側面図、（ｂ）弁体７５のお尻洗浄時に外筒体７１の各孔と整合する溝側からみた側面図、（ｃ）弁体７５のビデ洗浄時に外筒体７１の各孔と整合する溝側からみた側面図である。
切換弁兼流量調整弁７０は、外筒体７１、弁体７５、歯車ボックス７６、駆動力伝達歯車７７（動力歯車）とで構成する。外筒体７１は中空の略円筒状に形成し、一端には弁体７５を挿入する挿入開口７２を設け、他端には弁体７５を回動自在に支持する軸受け部７３を設ける。また、外筒体７１の右側面はノズル装置５０のパッキン収納壁５１ｎで囲まれる形状と略同一形状に形成し、操作用シリンダ５１に設けた洗浄水流出口５１ｈ、ビデ進出用流入口５１ｉ、ビデ洗浄水流出口５１ｊ、洗浄水流入口５１ｋを夫々整合する洗浄水流入孔７１ａ、ビデ進出用流出孔７１ｂ、ビデ洗浄水流入孔７１ｃ、洗浄水流出孔７１ｄを設ける。また、ビデ進出用流出孔７１ｂとビデ洗浄水流入孔７１ｃとの間にはバイパス用流出口７１ｅ及びバイパス用流入口７１ｆ、左側前端には余剰水排出口７１ｇ、洗浄水流出孔７１ｄより前方には方向転換室７１ｈを設け、その方向転換室７１ｈ内にパッキン押え用突起７１ｉを形成する。バイパス流出口７１ｅとバイパス流入口７１ｆとはシールパッキン６０に形成されたバイパス通路６７にて連結される。外筒体７１の右側周面にはノズル装置５０への取付部７１ｊを５個所設ける。
【００５１】
弁体７５は略円筒状で終端に隔壁７５ｈを有する前方弁部７５Ａ、後方弁部７５Ｂの２部材よりなり、一半周面をお尻用、他半周面をビデ用として利用する。また、後方弁部７５Ｂの終端に操作軸７５ｉを形成し、、後方弁部７５Ｂの側周壁には洗浄水流入孔７１ａ、ビデ進出用流出孔７１ｂに夫々整合する箇所に洗浄水流入溝７５ａ、ビデ進出用流出溝７５ｂを形成する。また、洗浄水流入溝７５ａよりも後方外周にＹパッキン収納溝を形成し、弁体７５を開口７２から外筒体７１内に挿入する際、Ｙパッキン７５ｍを嵌め込むことにより、挿入開口７２と弁体７５とのシールを行う。
【００５２】
前方弁部７５Ａの側周壁にはバイパス流出口７１ｅ、バイパス流入口７１ｆ、ビデ洗浄水流入孔７１ｃ、洗浄水流出孔７１ｄ、余剰水排出口７１ｇに夫々整合する箇所にバイパス用流出溝７５ｅ、バイパス用流入溝７５ｆ、ビデ洗浄水流入溝７５ｃ、流量調整溝７５ｄ、余剰水排出溝７５ｇを形成する。なお、バイパス用流出溝７５ｅとバイパス用流入溝７５ｆ間には隔壁７５ｈを設け弁体７５内部での連通を遮断する。流量調整溝７５ｄは略三角形状として流路抵抗が変化するよう形成する。また、余剰水排出溝７５ｇ及び流量調整溝７５ｄはおしり用、ビデ用と全周を２分割して設ける。更に、前方弁部の始端に回動軸７５ｊを設けている。また、一端側外周のバイパス用流出溝７５ｅとバイパス用流入溝７５ｆ間にＹパッキン装着溝（図示なし）を形成しＹパッキンを嵌め込むようにすれば、バイパス用流出溝７５ｅとバイパス用流入溝７５ｆ間が弁内で連通しないようになる。ビデ進出用流出溝７５ｂ及びビデ洗浄水流入溝７５ｃは弁体７５の円周上の半周内に形成し、バイパス流出溝７５ｅ及びバイパス流入溝７５ｆはビデ進出用流出溝７５ｂ及びビデ洗浄水流入溝７５ｃとは半周ずらして設ける。
【００５３】
歯車ボックス７６には、操作軸７５ｉを挿通する挿通孔７６ａ、Ｙパッキン７５ｍからの漏水を便器内に排出するための排出ガイド７６ｂ及び排出トイ７６ｃ、後述する操作力伝達ワイヤ２７を挿通する挿通孔７６ｄ、操作力伝達ワイヤ２７の曲がりを規制する規制ガイド７６ｅ、操作力伝達ワイヤ２７の一端に固定される操作力伝達歯車２６（伝達歯車）の回転を規制するストッパ７６ｆ、操作力伝達歯車２６の特定位置を検出するマイクロスイッチ２８を保持するための保持爪７６ｇを設ける。
【００５４】
図３６は流路切換兼流量調整摘み２５から切換弁兼流量調整弁７０への動力伝達を説明するための斜視図、図３７は流路切換兼流量調整摘み２５の取付を説明するための斜視図、図３８は操作部２０の外観図を示す。
操作部２０には洗浄開始スイッチ操作部２１、洗浄停止スイッチ操作部２２及び流路切換兼流量調整摘み２５とが設けられ、洗浄開始スイッチ操作部２１及び洗浄停止スイッチ操作部２２は操作スイッチ基板２３に設けられ、この操作スイッチ基板２３はコントローラ８５に電気的に接続し、流路切換兼流量調整摘み２５は操作力伝達ワイヤ２７によって機械的に操作力伝達歯車２６に連結されている。この操作力伝達歯車２６と駆動力伝達歯車７７とが噛み合うことで流路切換兼流量調整摘み２５の回転は操作軸７５ｉに伝達され弁体７５を回転操作することが可能となる。なお、この流路切換兼流量調整摘み２５は、操作力伝達歯車２６のおしり最大流量位置とビデ最大流量位置との間に相当する位置に設けた回転規制突起２６ａとストッパ７６ｆとにより、おしり最大流量位置とビデ最大流量位置との間で回転規制されるので、おしり最大流量から突然ビデ最大流量に変更されることが無い。また、操作力伝達歯車２６のおしり最小流量位置とビデ最小流量位置との間の止水位置を検出するために設けた突起２６ｂでマイクロスイッチ２８の杆２８ａを押し下げるよう構成する。
【００５５】
コントローラ８５は、制御基板を収納しポッティング処理するポッティング部８５ａとポッティング部８５ａ側周面から前方に連続形成されるワイヤ固定部８５ｂとからなり、ワイヤ固定部８５ｂには操作力伝達ワイヤ２７挿通用切欠８５ｃを設け、操作力伝達ワイヤ２７の曲がりを規制するために中央に挿通ガイド２９ａを有する規制部材２９をワイヤ固定部８５ｂに固定する。操作力伝達ワイヤ２７の先端は断面Ｄ字形状としており、上ケース１０ａに設けた挿通孔（図示無）から操作力伝達ワイヤ２７の先端の突出させ、その先端部に摘み２５を嵌め込む。なお、ポッティング部８５ａの外輪壁の最低部にミシン目切込み８５ｄを入れ、ポッティング処理後、この切込み部分８５ｄを取り除くことで、ポッティング部８５ａ内に侵入堆積する水をコントローラ８５外に排出することができ、長期に亘るポッティング部分侵食による誤動作を確実に防止することができる。
【００５６】
次に、このような構造からなる洗浄ノズル５３による洗浄動作について説明する。
図３９に非洗浄時のノズル装置５０の状態を示すが、この状態において、洗浄ノズル５３は復帰用ばね５４によって初期位置に保持されることによりピストン５２を後方シリンダ５１Ｂ内面に押し付けている。この時、電磁弁４２は閉じている。
使用者が用便後に装置本体１の袖部に設けられる流路切換兼流量調整摘み２５がおしり位置（流量最大）にある状態（図３４（ａ））で、洗浄開始スイッチ操作部２１を操作すると、コントローラ８５の指令により電磁弁４２が開く、電磁弁４２が開くと、洗浄水はチューブ４４から洗浄水供給口５５ａを介して後方シリンダ５１Ｂ内に供給され、その水圧でピストン５２を押圧する。したがって、ピストン５２とノズル５３は復帰用ばね５４に抗して一体的に前進し、ノズル５３の前端部が操作用シリンダ５１の前端開口５１ｗから突出する。ピストン５２は最大ストローク前進すると、受圧板５２Ａの周囲部が段部５１ｃに当接して停止する。（図４０に示す位置）ピストン５２が前進して停止すると、後方シリンダ５１Ｂ内に流入した洗浄水は洗浄水流出口５１ｈ→洗浄水流出口６６→洗浄水流入孔７１ａ→洗浄水流入溝７５ａを介して後方弁部７５Ｂ内に流入し、バイパス流出溝７５ｅ→バイパス用流出口７１ｅ→バイパス通路６７→バイパス用流入口７１ｆ→バイパス用流入溝７５ｆを介して前方弁部７５Ａ内に流入し、流量調整溝７５ｄ→洗浄水流出孔７１ｄ→流量調整出口６３→連絡流路６２ｂ→方向転換用開口６２→連絡流路６２ａを介してダイヤフラム６１の圧力室６１ｄに至り、洗浄ノズル５３の側面にダイヤフラム６１が密着し、ダイヤフラム６１先端に設けた洗浄水流入口６１ａからお尻洗浄水連絡口５３ｋ→おしり洗浄用通路５３ｆ→おしり噴出口５３ｈに洗浄水が供給され、おしり噴出口５３ｈから上方に向けて洗浄水を噴出しおしり洗浄を所望の時間行う。
【００５７】
おしり洗浄後、洗浄停止スイッチ操作部２２を操作すると、コントローラ８５からの指令により電磁弁４２が閉じ、電磁弁４６が開く。電磁弁４２が閉じると、洗浄ノズル５３への洗浄水の供給が停止するため、洗浄水の水圧が低下する。従って、バキュームブレーカー４３からシリンダ５１内に空気が供給され、速やかに平坦部５３ｍと前記ばね受部５１ｅとの隙間（突起５１ｆ、５１ｇ間の隙間）及びチューブ４７ｂからシリンダ５１内の残水が排出され、洗浄ノズル５３は復帰用ばね５４の弾撥力によって後退して初期位置に復帰し、ピストン５２を後部シリンダ５１Ｂの内面に押し付ける。
一方、電磁弁４６が開くと、洗浄水はチューブ４９ａ、ノズル洗浄導管５６を通ってノズル洗浄室５１ｍに供給されることにより、ノズル５３の外周を洗浄する。そして、ノズル洗浄を所望の時間行うと、制御装置５０からの指令により電磁弁４６は閉じる。
【００５８】
使用者が流路切換兼流量調整摘み２５をビデ位置にした状態で、洗浄開始スイッチ操作部２１を操作すると、コントローラ８５の指令により電磁弁４２が開く。電磁弁４２が開くと、洗浄水はチューブ４４から洗浄水供給口５５ａを介して後方シリンダ５１Ｂ内に供給され、その水圧でピストン５２とノズル５３を復帰用ばね５４に抗して前進させる。このため、ノズル５３は操作用シリンダ５１の前端開口５１ｗから突出する。ピストン５２は最大ストローク前進すると受圧板５２Ａの周囲部が段部５１ｃに当接して停止する。ピストン５２が停止すると、ノズル５３はピストン５２によっては移動されなくなるが、後方シリンダ５１Ｂ内に供給された洗浄水が洗浄水流出口５１ｈ→洗浄水流出口６６→洗浄水流入孔７１ａ→洗浄水流入溝７５ａを介して後方弁部７５Ｂ内に流入し、ビデ進出用流出溝７５ｂ→ビデ進出用流出孔７１ｂ→ビデ進出用流出孔６５→ビデ進出用流入口５１ｉを介して前方シリンダ５１Ａ内に導かれその水圧でノズル５３のフランジ５３ｎを押圧するため図４１に示すようにさらに伸張してビデ洗浄位置に移動し、この位置で係止部５１ｅにフランジ５３ｎ周囲部が当接することにより停止する。このノズル５３の移動により、ビデ洗浄水流出口５１ｊ→ビデ洗浄水流出口６４→ビデ洗浄水流入孔７１ｃ→ビデ洗浄水流入溝７５ｃを介して前方弁部７５Ａ内に流入し、流量調整溝７５ｄ→洗浄水流出孔７１ｄ→流量調整出口６３→連絡流路６２ｂ→方向転換用開口６２→連絡流路６２ａを介してダイヤフラム６１の圧力室６１ｄに至り、洗浄ノズル５３の側面にダイヤフラム６１が密着し、ダイヤフラム６１先端に設けた洗浄水流入口６１ａからビデ洗浄水連絡口５３ｌ→ビデ洗浄用通路５３ｇ→ビデ噴出口５３ｊに洗浄水が供給され、ビデ噴出口５３ｊから上方に向けて洗浄水を噴出しおしり洗浄を所望の時間行う。
【００５９】
洗浄停止スイッチ操作部２２を操作すると、おしり洗浄の際と同様にノズル５３を洗浄後、初期状態に戻る。なお、流路切換兼流量調整摘み２５がお尻／ビデの中間位置にある状態で洗浄スイッチ操作部２１を操作しても、マイクロスイッチ２８により止状態が検出されているので、洗浄は行われない。この状態で洗浄停止スイッチ操作部２２を所定時間以上押し続けた場合には電磁弁４２を開き、ノズル５３の進出のみを行うことで、ノズル５３の拭き掃除を行いやすくすることができる。
【図面の簡単な説明】
【００６０】
【図１】本発明の水路構成を示すブロック図
【図２】本発明のノズル装置５０の外観斜視図
【図３】操作用シリンダ５１の分解斜視図
【図４】洗浄ノズル５３の分解斜視図
【図５】洗浄ノズル５３の収納時断面図
【図６】本発明の切換弁兼流量調整弁７０の外観斜視図
【図７】弁体７５の分解斜視図
【図８】切換弁兼用流量調整弁７０の断面図で（ａ）はおしり洗浄時の断面図、（ｂ）はビデ洗浄時の断面図
【図９】おしり洗浄時の弁体７５に設けた各溝の相対位置関係を示す断面図
【図１０】操作部２０の外観図
【図１１】おしり洗浄時の様子を示す洗浄ノズル５３の断面図
【図１２】ビデ洗浄時の様子を示す洗浄ノズル５３の断面図
【図１３】本発明の第２の実施例におけるノズル装置５０の断面図
【図１４】本発明の第２の実施例の変形例におけるノズル装置５０の断面図
【図１５】本発明の第３の実施例におけるノズル装置５０の断面図
【図１６】本発明の第４の実施例の局部洗浄装置１の右袖タイプの外観斜視図である。
【図１７】本発明の第４の実施例の内部機器の収納状態を示すために装置本体１０の上ケース１０ａを取り除いた状態での斜視図
【図１８】図１７から操作部及びコントローラを取り外した状態での斜視
【図１９】図１７からケースプレートを消去した状態での底側から見た斜視図
【図２０】図１９とは別角度から見たケースプレートを消去した状態での部分斜視図
【図２１】図１８からミキシングユニット及びバルブユニットを取り外した状態での斜視図
【図２２】本発明の第４の実施例のノズル装置５０の外観斜視図
【図２３】本発明の第４の実施例のノズル装置５０の分解斜視図
【図２４】本発明の第４の実施例の操作用シリンダ５１の斜視図
【図２５】本発明の第４の実施例の操作用シリンダ５１の断面図
【図２６】本発明の第４の実施例の操作用シリンダ５１の側面図
【図２７】本発明の第４の実施例のピストン５２の斜視図
【図２８】本発明の第４の実施例の洗浄ノズル５３の分解斜視図
【図２９】本発明の第４の実施例のノズル本体５３ａの斜視図
【図３０】本発明の第４の実施例のシールパッキン６０の図で、（ａ）は平面図、（ｂ）は側面図、（ｃ）は底面図、（ｄ）は（ａ）の中央横断面図
【図３１】本発明の第４の実施例のシールパッキン６０の斜視図
【図３２】本発明の第４の実施例の切換弁兼流量調整弁７０の外観斜視図
【図３３】本発明の第４の実施例の切換弁兼流量調整弁７０の分解斜視図
【図３４】本発明の第４の実施例の切換弁兼流量調整弁７０の概略断面図で、（ａ）はお尻洗浄時（流量最大）の概略断面図、（ｂ）はビデ洗浄時の概略断面図
【図３５】本発明の第４の実施例の（ａ）切換弁兼流量調整弁７０の側面図、（ｂ）弁体７５のお尻洗浄時に外筒体７１の各孔と整合する溝側からみた側面図、（ｃ）弁体７５のビデ洗浄時に外筒体７１の各孔と整合する溝側からみた側面図
【図３６】本発明の第４の実施例の流路切換兼流量調整摘み２５から切換弁兼流量調整弁７０への動力伝達を説明するための斜視図
【図３７】本発明の第４の実施例の流路切換兼流量調整摘み２５の取付を説明するための斜視図
【図３８】本発明の第４の実施例の操作部２０の外観図
【図３９】本発明の第４の実施例の非洗浄時のノズル装置５０の状態を示す断面図
【図４０】本発明の第４の実施例のおしり洗浄時のノズル装置５０の状態を示す断面図
【図４１】本発明の第４の実施例のビデ洗浄時のノズル装置５０の状態を示す断面図
【符号の説明】
【００６１】
５０…ノズル装置
５１…シリンダ
５１ｈ…第１流出口
５１ｉ…第１流入口
５１ｍ…洗浄水供給室
５３…ノズル
５３ｈ…洗浄水噴出口
５３ｊ…洗浄水噴出口
５３ｋ…洗浄水連絡口
５３ｌ…洗浄水連絡口
６０…シールパッキン
６１…ダイヤフラム部
７０…流量調整弁
７１…外筒体
７１ａ…洗浄水流入孔
７１ｄ…洗浄水流出孔
７５…筒状弁体
【図１】
0004541342.tif 000002
【図２】
0004541342.tif 000003
【図３】
0004541342.tif 000004
【図４】
0004541342.tif 000005
【図５】
0004541342.tif 000006
【図６】
0004541342.tif 000007
【図７】
0004541342.tif 000008
【図８】
0004541342.tif 000009
【図９】
0004541342.tif 000010
【図１０】
0004541342.tif 000011
【図１１】
0004541342.tif 000012
【図１２】
0004541342.tif 000013
【図１３】
0004541342.tif 000014
【図１４】
0004541342.tif 000015
【図１５】
0004541342.tif 000016
【図１６】
0004541342.tif 000017
【図１７】
0004541342.tif 000018
【図１８】
0004541342.tif 000019
【図１９】
0004541342.tif 000020
【図２０】
0004541342.tif 000021
【図２１】
0004541342.tif 000022
【図２２】
0004541342.tif 000023
【図２３】
0004541342.tif 000024
【図２４】
0004541342.tif 000025
【図２５】
0004541342.tif 000026
【図２６】
0004541342.tif 000027
【図２７】
0004541342.tif 000028
【図２８】
0004541342.tif 000029
【図２９】
0004541342.tif 000030
【図３０】
0004541342.tif 000031
【図３１】
0004541342.tif 000032
【図３２】
0004541342.tif 000033
【図３３】
0004541342.tif 000034
【図３４】
0004541342.tif 000035
【図３５】
0004541342.tif 000036
【図３６】
0004541342.tif 000037
【図３７】
0004541342.tif 000038
【図３８】
0004541342.tif 000039
【図３９】
0004541342.tif 000040
【図４０】
0004541342.tif 000041
【図４１】
0004541342.tif 000042